(57)【特許請求の範囲】
【請求項１】
電話機と電話網に接続される通話記録装置であって、
情報を記録するためのディスク媒体と、
前記電話機からの信号を前記電話網に中継するとともに、前記電話網からの信号を前記電話機に中継する中継手段と、
通話内容の記録を指示するための指示手段と、
前記中継手段によって中継される信号に基づき、前記電話機が通話状態になったことを検出する検出手段と、
この検出手段によって通話状態になったことが検出されたときに、前記中継手段によって中継される信号に応じた情報が記憶されたファイルを、前記ディスク媒体に作成する処理である記録処理を開始する記録処理開始手段と、
前記記録処理の実行中に、前記指示手段による指示がなされたか否かを判定する記録指示判定手段と、
前記中継手段によって中継される信号に基づき通話の終了を判定する通話終了判定手段と、
この通話終了判定手段によって通話が終了したと判定されたときに、前記記録処理を終了するとともに、前記記録指示判定手段によって通話内容の記録が指示されたと判定されていた場合には、記録処理によって作成されたファイルに所定規則に従った内容を有し、かつ、前記ディスク媒体に記憶されているファイルのファイル名とは異なるファイル名を与え、前記記録指示判定手段によって通話内容の記録が指示されていないと判定されていた場合には、記録処理によって作成されたファイルに前記所定規則に従った内容を有さない、予め定められた特定のファイル名を与える記録処理終了手段と、
前記所定規則に従った内容を有するファイル名が与えられて、前記ディスク媒体に記憶されているファイルの内容を再生する再生手段と、
前記中継手段によって中継が開始された信号が、前記電話機に対する呼び出し信号であったときに、前記電話機からのオフフック信号の出力の監視を開始し、所定時間の間、オフフック信号が検出されなかった場合に、前記電話網に対して、オフフック信号を出力するオフフック信号出力手段と、
前記オフフック信号出力手段によるオフフック信号の出力がなされたときに、前記電話網から前記中継手段に入力される信号に応じた情報が記憶されたファイルを、前記ディスク媒体上に作成する処理である第２記録処理を開始する第２記録処理開始手段と、
前記中継手段に、前記電話網から入力される信号に基づき、前記電話網からの信号入力の終了を判定する信号入力終了判定手段と、
この信号入力終了判定手段によって信号入力が終了したと判定されたときに、前記第２記録処理を終了するとともに、前記第２記録処理によって作成されたファイルに所定規則に従った内容を有するファイル名を与える第２記録処理終了手段と、
前記ディスク媒体に記憶されたファイルの内容を、外部装置に対して出力するためのインターフェイス手段と、を備え、
前記指示手段は、ボックス情報と関連付けて通話内容の記録を指示するための手段であり、
前記記録処理終了手段は、前記記録指示判定手段によって通話内容の記録が指示されたと判定されていた場合には、前記記録処理によって作成されたファイルに、前記指示手段による指示されたボックス情報に対応し、かつ、所定規則に従った内容を有するファイル名を与え、
前記第２記録処理終了手段は、前記第２記録処理によって作成されたファイルに、予め定められたボックス情報に対応し、かつ、前記所定規則に従った内容を有するファイル名を与え、
前記再生手段は、ボックス情報が入力された際に、そのボックス情報に対応し、かつ、前記所定規則に従った内容を有するファイル名が与えられて前記ディスク媒体に記憶されているファイルの内容を再生すると共に、前記インターフェイス手段を介した前記外部装置から出された出力指示を受けて前記ファイルの内容を再生することを特徴とする通話記録装置。
【請求項２】
電話機と電話網に接続される通話記録装置であって、
情報を記録するためのディスク媒体と、
前記電話機からの信号を前記電話網に中継するとともに、前記電話網からの信号を前記電話機に中継する中継手段と、
通話内容の記録を指示するための指示手段と、
前記中継手段によって中継される信号に基づき、前記電話機が通話状態になったことを検出する検出手段と、
この検出手段によって通話状態になったことが検出されたときに、前記中継手段によって中継される信号に応じた情報が記憶されたファイルを、前記ディスク媒体に作成する処理である記録処理を開始する記録処理開始手段と、
前記記録処理の実行中に、前記指示手段による指示がなされたか否かを判定する記録指示判定手段と、
前記中継手段によって中継される信号に基づき通話の終了を判定する通話終了判定手段と、
この通話終了判定手段によって通話が終了したと判定されたときに、前記記録処理を終了するとともに、前記記録指示判定手段によって通話内容の記録が指示されたと判定されていた場合には、記録処理によって作成されたファイルに所定規則に従った内容を有し、かつ、前記ディスク媒体に記憶されているファイルのファイル名とは異なるファイル名を与え、前記記録指示判定手段によって通話内容の記録が指示されていないと判定されていた場合には、記録処理によって作成されたファイルに前記所定規則に従った内容を有さない、予め定められた特定のファイル名を与える記録処理終了手段と、
前記所定規則に従った内容を有するファイル名が与えられて、前記ディスク媒体に記憶されているファイルの内容を再生する再生手段と、
前記中継手段によって中継が開始された信号が、前記電話機に対する呼び出し信号であったときに、前記電話機からのオフフック信号の出力の監視を開始し、所定時間の間、オフフック信号が検出されなかった場合に、前記電話網に対して、オフフック信号を出力するオフフック信号出力手段と、
前記オフフック信号出力手段によるオフフック信号の出力がなされたときに、前記電話網から前記中継手段に入力される信号に応じた情報が記憶されたファイルを、前記ディスク媒体上に作成する処理である第２記録処理を開始する第２記録処理開始手段と、
前記中継手段に、前記電話網から入力される信号に基づき、前記電話網からの信号入力の終了を判定する信号入力終了判定手段と、
この信号入力終了判定手段によって信号入力が終了したと判定されたときに、前記第２記録処理を終了するとともに、前記第２記録処理によって作成されたファイルに所定規則に従った内容を有するファイル名を与える第２記録処理終了手段と、
前記ディスク媒体に記憶されたファイルの内容を、外部装置に対して出力するためのインターフェイス手段と、を備え、
前記指示手段は、ボックス情報と関連づけて通話内容の記録を指示するための手段であり、
前記記録処理終了手段は、前記記録指示判定手段によって通話内容の記録が指示されたと判定されていた場合には、前記記録処理によって作成されたファイルに、前記指示手段による指示されたボックス情報に対応し、かつ、所定規則に従った内容を有するファイル名を与え、
前記第２記録処理終了手段は、前記第２記録処理によって作成されたファイルに、前記第２記録処理の開始時に前記中継手段に対して前記電話網から入力された信号に基づき特定されたボックス情報に対応し、かつ、前記所定規則に従った内容を有するファイル名を与え、
前記再生手段は、ボックス情報が入力された際に、そのボックス情報に対応し、かつ、前記所定規則に従った内容を有するファイル名が与えられて前記ディスク媒体に記憶されているファイルの内容を再生すると共に、前記インターフェイス手段を介した前記外部装置から出された出力指示を受けて前記ファイルの内容を再生することを特徴とする通話記録装置。
【請求項３】
前記再生手段は、ファイルの内容を音声として出力するためのスピーカと、
前記ファイルの内容を前記スピーカ及び前記電話機のいずれかに供給するための選択供給手段を有することを特徴とする請求項２記載の通話記録装置。
【請求項４】
電話機と電話網に接続される通話記録装置であって、
情報を記録するためのディスク媒体と、
前記電話機からの信号を前記電話網に中継するとともに、前記電話網からの信号を前記電話機に中継する中継手段と、
通話内容の記録を指示するための指示手段と、
前記中継手段によって中継される信号に基づき、前記電話機が通話状態になったことを検出する検出手段と、
この検出手段によって通話状態になったことが検出されたときに、前記中継手段によって中継される信号に応じた情報が記憶されたファイルを、前記ディスク媒体に作成する処理である記録処理を開始する記録処理開始手段と、
前記記録処理の実行中に、前記指示手段による指示がなされたか否かを判定する記録指示判定手段と、
前記中継手段によって中継される信号に基づき通話の終了を判定する通話終了判定手段と、
この通話終了判定手段によって通話が終了したと判定されたときに、前記記録処理を終了するとともに、前記記録指示判定手段によって通話内容の記録が指示されたと判定されていた場合には、記録処理によって作成されたファイルに所定規則に従った内容を有し、かつ、前記ディスク媒体に記憶されているファイルのファイル名とは異なるファイル名を与え、前記記録指示判定手段によって通話内容の記録が指示されていないと判定されていた場合には、記録処理によって作成されたファイルに前記所定規則に従った内容を有さない、予め定められた特定のファイル名を与える記録処理終了手段と、
前記所定規則に従った内容を有するファイル名が与えられて、前記ディスク媒体に記憶されているファイルの内容を再生する再生手段と、
前記ディスク媒体に記憶されたファイルの内容を、外部装置に対して出力するためのインターフェイス手段と、を備え、
前記再生手段は、ファイルの内容を音声として出力するためのスピーカと、
前記ファイルの内容を前記スピーカ及び前記電話機のいずれかに供給するための選択供給手段とを有し、
前記インターフェイス手段を介した前記外部装置から出された出力指示を受けて前記ファイルの内容を再生することを特徴とする通話記録装置。
【請求項５】
前記指示手段は、ボックス情報と関連づけて通話内容の記録を指示するための手段であり、前記記録処理終了手段は、前記記録指示判定手段によって通話内容の記録が指示されたと判定されていた場合には、前記記録処理によって作成されたファイルに、前記指示手段による指示されたボックス情報に対応し、かつ、所定規則に従った内容を有するファイル名を与え、前記第２記録処理終了手段は、前記第２記録処理によって作成されたファイルに、予め定められたボックス情報に対応し、かつ、前記所定規則に従った内容を有するファイル名を与え、前記再生手段は、ボックス情報が入力された際に、そのボックス情報に対応し、かつ、前記所定規則に従った内容を有するファイル名が与えられて前記ディスク媒体に記憶されているファイルの内容を再生することを特徴とする請求項４に記載の通話記録装置。
【請求項６】
前記再生手段は、前記電話機から中継手段にオフフック信号が入力されたときに、ファイルの内容を前記電話機に供給することを特徴とする請求項３から請求項５のいずれかに記載の通話記録装置。
【請求項７】
前記所定規則は、再生処理順序であることを特徴とする請求項１〜６のいずれかに記載の通話記録装置。
【請求項８】
電話機と電話網に接続される通話記録装置であって、
情報を記録するためのディスク媒体と、
前記電話機からの信号を前記電話網に中継するとともに、前記電話網からの信号を前記電話機に中継する中継手段と、
通話内容の記録を指示するための指示手段と、
前記中継手段によって中継される信号に基づき、前記電話機が通話状態になったことを検出する検出手段と、
この検出手段によって通話状態になったことが検出されたときに、前記中継手段によって中継される信号に応じた情報が記憶されたファイルを、前記ディスク媒体に作成する処理である記録処理を開始する記録処理開始手段と、
前記記録処理の実行中に、前記指示手段による指示がなされたか否かを判定する記録指示判定手段と、
前記中継手段によって中継される信号に基づき通話の終了を判定する通話終了判定手段と、
この通話終了判定手段によって通話が終了したと判定されたときに、前記記録処理を終了するとともに、前記記録指示判定手段によって通話内容の記録が指示されたと判定されていた場合には、記録処理によって作成されたファイルに所定規則に従った内容を有し、かつ、前記ディスク媒体に記憶されているファイルのファイル名とは異なるファイル名を与え、前記記録指示判定手段によって通話内容の記録が指示されていないと判定されていた場合には、記録処理によって作成されたファイルに前記所定規則に従った内容を有さない、予め定められた特定のファイル名を与える記録処理終了手段と、
前記所定規則に従った内容を有するファイル名が与えられて、前記ディスク媒体に記憶されているファイルの内容を再生する再生手段と、
前記ディスク媒体に記憶されたファイルの内容を、外部装置に対して出力するためのインターフェイス手段と、を備え、
前記再生手段は、前記インターフェイス手段を介した前記外部装置から出された出力指示を受けて前記ファイルの内容を再生することを特徴とする通話記録装置。
【請求項９】
前記指示手段は、ボックス情報と関連付けて通話内容の記録を指示するための手段であり、
前記記録処理終了手段は、前記記録指示判定手段によって通話内容の記録が指示されたと判定されていた場合には、前記記録処理によって作成されたファイルに、前記指示手段による指示されたボックス情報に対応し、かつ、所定規則に従った内容を有するファイル名を与え、
前記再生手段は、ボックス情報が入力された際に、そのボックス情報に対応し、かつ、前記所定規則に従った内容を有するファイル名が与えられて前記ディスク媒体に記憶されているファイルの内容を再生することを特徴とする請求項８に記載の通話記録装置。
【発明の詳細な説明】
【０００１】
【発明の属する技術分野】
本発明は、電話網及び電話機に接続されて使用される通話記録装置に関する。
【０００２】
【従来の技術】
近年の半導体技術の進歩に伴い、電話機の多機能化が進み、不在時に、メッセージを記憶しておくことが出来る電話機（いわゆる、留守番電話）が実用化されている。また、通話内容を記録できる電話機も実用化されている。
【０００３】
【発明が解決しようとする課題】
しかしながら、構内交換機に接続されて使用されるような電話機（いわゆる、内線用電話機）には、そのような記録機能が設けられていないため、例えば、本人以外の者が応答した結果、本人に誤って内容が通知されるといったような、不都合が生ずる場合が多かった。
【０００４】
なお、内線用電話機の代わりに多機能電話機を取付けることも可能であるが、従来の電話機は、短時間の通話内容を記録することしかできないものであったため、そのような構成としても、電話による打ち合わせ内容等、長時間に渡る通話内容を記録することができないという問題があった。また、幾つかの通話に関するデータが保存されている場合には、順々に、各通話内容を確認していかなければならず、仕事場での使用に適した機器になっていなかった。
【０００５】
そこで、本発明の課題は、メッセージの記録機能を有さない電話機と組み合わせることによって、従来の多機能電話機よりも、多量のデータ（通話内容）を記録できる機器が構築できる通話記録装置を提供することにある。
【０００６】
また、本発明の他の課題は、通話内容を、分類して記録でき、かつ、所望の分類に属する通話内容だけを再生できる通話記録装置を提供することにある。
【０００７】
【課題を解決するための手段】
上記課題を解決するために、本発明では、電話機と電話網に接続される通話記録装置を、（イ）情報を記録するためのディスク媒体と、（ロ）電話機からの信号を電話網に中継するとともに、電話網からの信号を電話機に中継する中継手段と、（ハ）この中継手段によって中継される信号に基づき、電話機が通話状態になっったことを検出する検出手段と、（ニ）この検出手段によって通話状態になったことが検出された際に、中継手段によって中継される信号に応じた情報を、ディスク媒体へ記録する処理である記録処理を開始する記録処理開始手段と、（ホ）中継手段によって中継される信号に基づき通話が終了したか否かを判断し、通話が終了したときに、記録処理を終了する記録処理終了手段と、（ヘ）ディスク媒体に記憶された情報を出力する出力手段とによって実現する。
【０００８】
このように、本発明による第１の通話記録装置によれば、大量の情報が記憶可能な、例えば、ハードディスクのようなディスク媒体に、通話内容が記録されるため、従来に比して、より多くの通話内容を保存しておくことが出来る。また、使いなれている電話機に接続するだけで、その電話機にメッセージ記録機能が付加されることになるので、電話機自体を交換する場合に比して、覚えなければならない操作手順が少ない。このため、すぐに、操作方法を取得できることにもなる。
【０００９】
また、本発明の第２の通話記録装置は、（イ）情報を記録するためのディスク媒体と、（ロ）電話機からの信号を電話網に中継するとともに、電話網からの信号を電話機に中継する中継手段と、（ハ）通話内容の記録を指示するための指示手段と、（ニ）中継手段によって中継される信号に基づき、電話機が通話状態になっったことを検出する検出手段と、（ホ）この検出手段によって通話状態になったことが検出されたときに、中継手段によって中継される信号に応じた情報が記憶されたファイルを、ディスク媒体に作成する処理である記録処理を開始する記録処理開始手段と、（へ）記録処理の実行中に、指示手段による指示がなされたか否かを判定する記録指示判定手段と、（ト）中継手段によって中継される信号に基づき通話の終了を判定する通話終了判定手段と、（チ）この通話終了判定手段によって通話が終了したと判定されたときに、記録処理を終了するとともに、記録指示判定手段によって通話内容の記録が指示されたと判定されていた場合には、記録処理によって作成されたファイルに所定規則に従った内容を有し、かつ、ディスク媒体に記憶されているファイルのファイル名とは異なるファイル名を与え、記録指示判定手段によって通話内容の記録が指示されていないと判定されていた場合には、記録処理によって作成されたファイルに所定規則に従った内容を有さない、予め定められた特定のファイル名を与える記録処理終了手段と、（リ）所定規則に従った内容を有するファイル名が与えられて、ディスク媒体に記憶されているファイルの内容を再生する再生手段とを備える。
【００１０】
すなわち、本発明の第２の通話記録装置では、記録指示手段によって記録が指示された場合だけに、その指示時点よりも前の通話内容をも含む通話内容が、既に存在しているファイルとは、別のファイル名を有するファイルとして記憶される。そして、記録が指示されなかった場合には、次の記録時に内容が書き換えられる形態で（特定のファイル名で）、ファイルが作成される。このため、この通話記録装置によれば、ディスク媒体の記憶容量を極めて有効に利用した形で、通話内容を記録することが出来ることになる。
【００１１】
本発明の第２の通話記録装置を構成する際には、指示手段として、ボックス情報と関連づけて通話内容の記録を指示するための手段を用いるとともに、記録処理終了手段として、記録指示判定手段によって通話内容の記録が指示されたと判定されていた場合には、記録処理によって作成されたファイルに、指示手段による指示されたボックス情報に対応し、かつ、所定規則に従った内容を有するファイル名を与える手段を用い、再生手段として、ボックス情報が入力された際に、そのボックス情報に対応し、かつ、所定規則に従った内容を有するファイル名が与えられてディスク媒体に記憶されているファイルの内容を再生する手段を用いることが望ましい。
【００１２】
このような構成を有する通話記録装置によれば、予め、通話内容の記録を指示する際に、その通話内容に応じたボックス情報を与えておけば、相互に関連する通話内容だけを、再生手段によって再生できることになる。すなわち、本通話記録装置を用いれば、通話内容を分類して記録でき、しかも、その分類に応じた通話内容だけを再生できることになる。
【００１３】
また、第２の通話記録装置を構成する際には、中継手段によって中継が開始された信号が、電話機に対する呼び出し信号であったときに、電話機からのオフフック信号の出力の監視を開始し、所定時間の間、オフフック信号が検出されなかった場合に、電話網に対して、オフフック信号を出力するオフフック信号出力手段と、オフフック信号出力手段によるオフフック信号の出力がなされたときに、電話網から中継手段に入力される信号に応じた情報が記憶されたファイルを、ディスク媒体上に作成する処理である第２記録処理を開始する第２記録処理開始手段と、中継手段に、電話網から入力される信号に基づき、電話網からの信号入力の終了を判定する信号入力終了判定手段と、この信号入力終了判定手段によって信号入力が終了したと判定されたときに、第２記録処理を終了するとともに、第２記録処理によって作成されたファイルに所定規則に従った内容を有するファイル名を与える第２記録処理終了手段とを、付加することが望ましい。
【００１４】
このように、第２の通話記録装置を構成した場合、いわゆる、留守番電話としての機能もが、付加されることになる。
また、オフフック信号出力手段等を付加する場合には、指示手段として、ボックス情報と関連づけて通話内容の記録を指示するための手段を用い、記録処理終了手段として、記録指示判定手段によって通話内容の記録が指示されたと判定されていた場合には、記録処理によって作成されたファイルに、指示手段による指示されたボックス情報に対応し、かつ、所定規則に従った内容を有するファイル名を与える手段を用い、第２記録処理終了手段として、第２記録処理によって作成されたファイルに、予め定められたボックス情報に対応し、かつ、所定規則に従った内容を有するファイル名を与える手段と用い、再生手段として、ボックス情報が入力された際に、そのボックス情報に対応し、かつ、所定規則に従った内容を有するファイル名が与えられてディスク媒体に記憶されているファイルの内容を再生する手段を用いることが出来る。
【００１５】
このように通話記録装置を構成した場合には、不在時にかかってきた電話の内容が、ある特定のボックス情報に対応づけて記録される装置であって、各ボックス情報に対応づけられた通話内容だけを選択的に再生できる通話記録装置が得られることになる。
【００１６】
また、オフフック信号出力手段等を付加する場合には、指示手段として、ボックス情報と関連づけて通話内容の記録を指示するための手段を用い、記録処理終了手段として、記録指示判定手段によって通話内容の記録が指示されたと判定されていた場合には、記録処理によって作成されたファイルに、指示手段による指示されたボックス情報に対応し、かつ、所定規則に従った内容を有するファイル名を与える手段を用い、第２記録処理終了手段として、第２記録処理によって作成されたファイルに、第２記録処理の開始時に中継手段に対して電話網から入力された信号に基づき特定されたボックス情報に対応し、かつ、所定規則に従った内容を有するファイル名を与える手段と用い、再生手段として、ボックス情報が入力された際に、そのボックス情報に対応し、かつ、所定規則に従った内容を有するファイル名が与えられてディスク媒体に記憶されているファイルの内容を再生する手段を用いることも出来る。
【００１７】
このように通話記録装置を構成した場合には、不在時にかかってきた電話の内容をも、分類して記録でき、しかも、その分類に応じた内容だけを再生できる通話記録装置が得られることになる。
【００１８】
また、第２の通話記録装置を構成する際には、再生手段として、ファイルの内容を音声として出力するためのスピーカと、ファイルの内容をスピーカ及び電話機のいずれかに供給するための選択供給手段を有する手段を採用することが出来る。
【００１９】
このような再生手段を採用した場合には、通話内容を、多人数で同時に聞くことも、電話機の受話器によって、一人で聞くこともできる通話記録装置が得られることになる。また、そのような再生手段を採用するに際して、電話機から中継手段にオフフック信号が入力されたときに、ファイルの内容を電話機に供給するように再生手段を構築しておけば、受話器を取り上げただけで、通話内容の出力先がスピーカから受話器に切り替わる通話記録装置が得られることになる。
【００２０】
また、ディスク媒体に記憶されたファイルの内容を、外部装置に対して出力するためのインターフェイス手段を付加しておけば、通話内容の加工等が容易に行える通話記録装置が得られることになる。
【００２１】
【発明の実施の形態】
以下、図面を参照して、本発明の実施形態を説明する。
＜第１実施形態＞
図１に、本発明の第１実施形態による通話記録装置の構成を示す。図示したように、第１実施形態の通話記録装置１０は、ＣＰＵ１１と、ＲＯＭ(READ ONLY MEMORY)１２とＲＡＭ(RANDOM ACCESS MEMORY)１３とハードディスクドライブ（ＨＤＤ）１４とスイッチ部１５とインターフェイス回路（Ｉ／Ｆ）１６と中継器１７と音声出力部１８を主な構成要素として備える。音声出力部１８を除く各部は、バス１９によって相互に接続されており、アンプとスピーカからなる回路である音声出力部１８は、中継器１７と接続されている。
【００２２】
本通話記録装置は、電話機と電話網との間に挿入されて使用される装置であり、その使用時には、電話機２０及び電話網が、ケーブルおよびコネクタを用いて、中継器１７に接続される。
【００２３】
中継器１７は、Ａ／Ｄ変換器とＤ／Ａ変換器を中心として構成されている。このうち、Ａ／Ｄ変換器は、電話網および電話機２０から入力されるアナログ信号（音声信号）をデジタル信号に変換するために用いられており、Ａ／Ｄ変換器の出力が、バス１９上に供給されるようになっている。また、Ｄ／Ａ変換器は、バス１９から供給されるデジタル信号を、アナログ信号に変換する（音声信号に戻す）ために用いられている。
【００２４】
さらに、中継器１７内には、Ｄ／Ａ変換器の出力を、音声出力部１９と電話機２０のいずれかに供給するための切替回路と、Ａ／Ｄ変換器及びＤ／Ａ変換器を、電話網あるいは電話機２０と接続するための切替回路が設けられている。このうち、後者の切替回路は、通話記録装置１０に電源が投入されていないとき、電話網と電話機２０とを直結するように機能する回路となっている（中継器１７内に点線で表示）。また、通話記録装置１０に電源が投入された後、当該切替回路は、電話網と電話機２０との間の状態に応じて、電話網と電話機２０のいずれか一方とＡ／Ｄ変換器あるいはＤ／Ａ変換器を接続したり、電話網と電話機２０との間で授受されている信号をＡ／Ｄ変換器に供給したりする。前者の切替回路の役割についての説明は、後述する。
【００２５】
ＨＤＤ１４は、中継器１７内のＡ／Ｄ変換器が出力するデジタル信号を、ファイル化して記憶するための機器である。スイッチ部１５は、留守番モード設定／解除ボタン、保存指示ボタン、再生指示ボタン、消去指示ボタンと名付けた４個の押しボタンと、いずれかの押しボタンが押下されたときに、その押しボタンの種類に応じた信号を、バス１９を介して、ＣＰＵ１１に通知する電子回路からなる。
【００２６】
Ｉ／Ｆ１６は、主に、ＨＤＤ１４内に記憶されたファイルの内容を、パーソナルコンピュータなどの外部装置に転送する場合に用いられる、データ転送のタイミング制御を行うための回路である。なお、ファイルの内容の転送を行う場合、その転送に先駆けて、スイッチ部１５に設けられた押しボタンを押下した際に、ＣＰＵ１１に通知される情報に相当する情報が、Ｉ／Ｆ１６を介して、外部装置からＣＰＵ１１に与えられる。この動作の詳細に関しては後述する。
【００２７】
ＣＰＵ１１は、ＲＯＭ１２に格納されているプログラムに従って、各部を統合的に制御する制御回路である。その際、ＣＰＵ１１は、その制御に必要とされるデータを記憶しておくために、ＲＡＭ１３を使用する。
【００２８】
以下、図２及び図３を用いて、ＣＰＵ１１による制御手順を具体的に説明する。なお、これらの図のうち、図２は、ＣＰＵ１１の全体的な制御手順を示した流れ図であり、図示した流れは、通話記録装置１０に電源が投入された際に開始される。また、図３は、図２に示した制御手順中で実行される通話内容再生処理時におけるＣＰＵ１１の制御手順を示した流れ図である。
【００２９】
図２に示したように、電源が投入された際、ＣＰＵ１１は、各種のイベントの発生の監視を開始する（ステップＳ１０１）。このステップで、ＣＰＵ１１が、その発生を監視するイベントには、留守番モード設定／解除ボタンの押下、再生指示ボタンの押下、電話器２０の状態の変化がある。
【００３０】
これらのイベントうち、留守番モード設定／解除ボタンの押下を検出した際（ステップＳ１０１；設定／解除）、ＣＰＵ１１は、動作モードの変更を行う（ステップＳ１０２）。なお、本通話記録装置１０には、動作モードとして、留守番モードと通常モードが用意されており、このステップＳ１０２において、ＣＰＵ１１は、留守番モード設定／解除ボタンが押下されたことを検出する前の動作モードが通常モードであった場合には、動作モードを留守番モードに変更する。また、留守番モード設定／解除ボタン検出以前の動作モードが留守番モードであった場合には、動作モードを通常モードに変更する。さらに、具体的に言えば、本通話記録装置１０は、ＲＡＭ１３の所定の記憶領域に保持されているフラグデータに基づき、動作モードが判別されるように構成してあり、このステップにおいて、ＣＰＵ１１は、そのフラグデータの値を、他方の動作モードを表すものに書き換えることによって動作モードを変更する。
【００３１】
このように、留守番モード設定／解除ボタンが押下された際、ＣＰＵ１１は、動作モードの変更を行う。そして、ステップＳ１０１に戻り、各種のイベントの発生の監視を再開する。なお、本通話記録装置１０は、電源投入時の動作モードが、通常モードとなるように構成してある。
【００３２】
再生指示ボタンの押下を検出した場合（ステップＳ１０１；再生）、ＣＰＵ１１は、通話内容再生処理を実行する（ステップＳ１０３）。
図３に示してあるように、通話内容再生処理開始時、ＣＰＵ１１は、まず、ＨＤＤ１４内に、アナログ信号（音声信号）をＡ／Ｄ変換した結果が記録されたファイルである通話内容ファイルが記憶されているか否かを判断する（ステップＳ２０１）。通話内容ファイルの作成手順に関しての詳細は後述するが、通話内容ファイルには、所定の規則に従って生成されたファイル名が与えられており、ステップＳ２０１において、ＣＰＵ１１は、当該規則に従ったファイル名を有するファイルを検索することによって、通話内容ファイルの有無を判定する。
【００３３】
そして、通話内容ファイルが存在していなかった場合（ステップＳ２０１；Ｎ）、ＣＰＵ１１は、通話内容再生処理を終了し、図２のステップＳ１０１に戻る。これに対して、少なくとも１つの通話内容ファイルが、ＨＤＤ１４内に存在していた場合（ステップＳ２０１；Ｙ）、ＣＰＵ１１は、通話内容ファイルを、その作成時刻順で順に再生していく処理（各通話内容ファイルの内容を、中継器１７内のＤ／Ａ変換器を介して音声出力部１８に供給する処理）である順次再生処理を開始する（ステップＳ２０２）。また、順次再生処理を開始するとともに、消去指示ボタンの押下、再生指示ボタンの押下、電話機２０からのオフフック（あるいはオンフック）信号の入力、順次再生処理の完了といった４種のイベントの発生を監視する処理も開始する（ステップＳ２０３）。
【００３４】
消去指示ボタンが押下されたことを検出した場合（ステップＳ２０３；消去指示）、ＣＰＵ１１は、その時点において、内容を中継器１７に供給しているファイルを、ＨＤＤ１４内から消去する（ステップＳ２０４）。その後、順次再生処理によって再生を行うファイルを次のファイルに変更し（ステップＳ２０５）、ステップＳ２０３に戻る。また、再生指示ボタンが押下されたことを検出した場合（ステップＳ２０３；再生）、ＣＰＵ１１は、ステップＳ２０４を実行することなく、ステップＳ２０５に進む。
【００３５】
すなわち、ＣＰＵ１１は、消去指示ボタンが押下された際には、再生中の通話内容ファイルを消去した後に、次の通話内容ファイルの再生を開始し、再生指示ボタンが押下された際には、再生を中断して（ファイルの消去を行うことなく）、次の通話内容ファイルの再生を開始する。
【００３６】
また、電話機２０からのオフフック信号の入力を検出した場合（ステップＳ２０３；オフフック）、ＣＰＵ１１は、中継器１７内の切替器を制御することによって、Ｄ／Ａ変換器からの信号が電話機２０に供給されるようにし（ステップＳ２０６）、ステップＳ２０３に戻る。すなわち、電話機２０の受話器が持ち上げられた際、ＣＰＵ１１は、通話内容ファイルの内容が、音声出力部１６のスピーカではなく、電話機２０の受話器から出力されるように中継器１７を制御する。
【００３７】
なお、図示は省略したが、オフフックを検出した後に実行されるステップＳ２０３では、オフフック信号の代わりにオンフック信号の入力が検出される。そして、オンフック信号の入力が検出されたときには、Ｄ／Ａ変換器からの信号が音声出力部１８に供給されるように中継器１７が制御される。すなわち、電話機２０の受話器が戻された場合、通話内容ファイルの内容が、音声出力部１６のスピーカから出力されるように、中継器１７が制御される。
【００３８】
そして、ＣＰＵ１１は、順次再生処理の終了を検出した際（ステップＳ２０３；全ファイル再生完了）に、通話内容再生処理を終了し、図２のステップＳ１０１に戻る。
【００３９】
ステップＳ１０１において、ＣＰＵ１１が検出する電話機の状態変化に関するイベントとしては、（ａ）電話機の通話状態への遷移と、（ｂ）電話網からの呼び出し信号の入力開始後、オフフック信号が入力されない状態の所定時間継続、といった２種のイベントがある。このうち、後者のイベントは、動作モードが留守番モードであるときのみに分岐条件として扱われ、前者のイベントは、動作モードに依らず分岐条件として扱われる。
【００４０】
すなわち、電話機２０に対して、電話がかかってきたときに、加入者が所定時間応答しなかった場合（受話器を取り上げなかった場合）を考える。動作モードが留守番モードに設定されているときに、このような状況が発生した場合、ＣＰＵ１１は、ステップＳ１１０への分岐を実行する。これに対して、動作モードが通常モードにあるときに、上記状況が発生した場合、ＣＰＵ１１は、ステップＳ１１０の実行を開始せず、ステップＳ１０１を実行しつづける（受話器が取り上げられるのを待機しつづける）。
【００４１】
そして、電話機２０が通話状態となる場合には、電話機２０から他の電話機に電話をかけた結果として通話状態となる場合と、電話機２０に電話がかかってきた結果として通話状態になる場合とがあるが、ＣＰＵ１１は、いずれの場合であっても、通話状態になったとき（ステップＳ１０１；通話状態）には、通話内容（電話網と電話機２０との間で授受されるアナログ信号のＡ／Ｄ変換結果）を、ＨＤＤ１４内に記録する処理を開始する（ステップＳ１０４）。また、それと同時に、保存指示ボタンの押下と通話の終了の監視を開始する（ステップＳ１０５）。なお、ＣＰＵ１１は、保存指示ボタンが押下されたか否かの判定を、スイッチ部１５からの信号に基づき行い、通話が終了したか否かの判定を、電話網と電話機２０間で授受される信号のＡ／Ｄ変換結果に基づき行う。
【００４２】
そして、通話が終了したことを検出した際（ステップＳ１０６；Ｙ）、ＣＰＵ１１は、記録を行っていたファイルをクローズする（ステップＳ１０７）。ただし、このクローズの際、ＣＰＵ１１は、そのファイルに、順次再生処理（通話内容再生処理）時に再生対象とはならない、予め定められた特定のファイル名を与える。なお、当該ファイルの作成中に、ＨＤＤ１４内にデータの記憶余地が無くなった場合、ＣＰＵ１１は、最も作成日時が過去の通話内容ファイルを、ＨＤＤ１４内から消去する。
【００４３】
ファイルのクローズ後、ＣＰＵ１１は、ステップＳ１０５で開始した監視の結果に基づき、通話が終了するまでの間に、保存指示ボタンが押下されたか否かを判断（ステップＳ１０８）する。そして、保存指示ボタンが押下されていなかった場合（ステップＳ１０８；Ｎ）には、ステップＳ１０１に戻る。一方、保存指示ボタンが押下されていた場合（ステップＳ１０８；Ｙ）、ＣＰＵ１１は、ステップＳ１０７でクローズしたファイルのファイル名を、順次再生処理の対象となるファイル名に変更し（ステップＳ１０９）、ステップＳ１０１に戻る。具体的には、ＣＰＵ１１は、ステップ１０９において使用するファイル名を、既にＨＤＤ１４内に存在している通話内容ファイルのファイル名と一致しないように、しかも、順次再生処理の対象となるように、所定の規則に従って決定する。
【００４４】
すなわち、ＣＰＵ１１は、保存指示ボタンによって保存（記録）が指示された場合だけに、その指示時点よりも前の通話内容をも含む通話内容を、既に存在しているファイルとは、別のファイル名を有するファイルとして記憶する。そして、保存指示されなかった場合には、記録を行ったファイルに、次の記録時に内容が書き換えられるファイル名を与えたままにしておく。このように、本通話記録装置１０によれば、ＨＤＤ１４の記憶容量を極めて有効に利用した形で、通話内容の記録（ファイル化）が行われる。
【００４５】
また、留守番モードに設定されているときに、電話網からの呼び出し信号の入力開始後、オフフック信号が入力されない状態が所定時間継続したことを検出した際（ステップＳ１０１；留守録開始条件）、ＣＰＵ１１は、電話網に対して、オフフック信号と応答メッセージを出力する（ステップＳ１１０）。すなわち、ＣＰＵ１１は、受話器を取り上げた際に、電話機から出力される信号と同じ信号を電話網に対して出力した後に、「ただいま留守にしております。メッセージを入力して下さい。」といった応答メッセージを電話網に対して出力する。オフフック信号並びに応答メッセージの基となるデータは、ＨＤＤ１４に記録されており、ＣＰＵ１１は、当該データを中継器１７に供給することによって、ステップＳ１１０の処理を実行する。なお、詳細の説明は省略するが、本通話記録装置１０には、応答メッセージの内容を更新するための機能も設けられており、スイッチ部１５に設けられている保存指示ボタンと再生指示ボタンを同時に押下されたときに、当該機能が開始される。
【００４６】
オフフック信号等の出力後、ＣＰＵ１１は、電話網から入力される音声信号をデジタル化したデータ（通話内容）を、ＨＤＤ１４に記録する処理を開始する（ステップＳ１１１）。また、ＣＰＵ１１は、通話終了の監視をも開始（ステップＳ１１２）する。そして、通話の終了を検出したとき（ステップＳ１１３；Ｙ）に、ＣＰＵ１１は、既にＨＤＤ１４内に存在しているファイル名とは異なり、しかも、順次再生処理の再生対象となるファイル名を与えて通話内容ファイルをクローズ（ステップＳ１１４）する。その後、ＣＰＵ１１は、ステップＳ１０１に戻る。
【００４７】
すなわち、ＣＰＵ１１は、留守番モードが設定されている状態下、所定時間以上、呼び出し信号の入力が続いた場合、自動的に、通話記録装置１０と電話機２０へ電話をかけている電話機との間を通話状態とし、その電話機から入力されるメッセージを、再生指示ボタンの押下によって再生される形態で記憶する。
【００４８】
次に、Ｉ／Ｆ１６の使用方法を説明する。例えば、ＨＤＤ１４内に記憶されている通話内容ファイルの読出を行う際、外部装置から、Ｉ／Ｆ１６を介して、Ｉ／Ｆ１６に通話内容ファイルの内容を出力すべきことを指示する制御情報をＣＰＵ１１に与える。当該制御情報が与えられた場合、ＣＰＵ１１は、再生指示ボタン押下時に中継器１７に対して出力していたデータを、Ｉ／Ｆ１６から出力する処理を開始する。また、上記制御情報よりも用途は狭いが、本通話記録装置１０は、再生指示ボタン、保存指示ボタン、留守番モード設定／解除ボタン、消去指示ボタン相当の制御情報も、Ｉ／Ｆ１６から受け付けられるように構成されており、そのような制御情報を受信した場合、ＣＰＵ１１は、各ボタン押下時と全く同じ制御を実行する。
【００４９】
このように、第１実施形態の通話記録装置を、内線用の電話機などと組み合わせれば、ＨＤＤに通話内容が記録されるため、既存の多機能電話機を使用する場合に比して、より多くの通話内容を保存しておくことが出来る。また、使いなれている電話機に接続するだけで、その電話機に、通話内容を記録する機能が付加されることになる。このため、電話機自体を交換する場合に比して、覚えなければならない操作手順が少なく、すぐに、操作方法を取得できることにもなる。
【００５０】
＜第２実施形態＞
第２実施形態の通話記録装置の構成、動作は、第１実施形態の通話記録装置と類似している箇所が多いため、ここでは、第１実施形態の通話記録装置と、構成、動作が異なる部分のみを説明することにする。
【００５１】
第１実施形態の通話記録装置は、４つのボタンが設けられたスイッチ部１６を備えた装置であった。これに対して、第２実施形態の通話記録装置は、留守番モード設定／解除ボタンと再生指示ボタンと消去指示ボタンと、０ないし９の数値が付された１０個のボックスボタンとが設けられたスイッチ部を備える。
【００５２】
以下、図４及び図５を用いて、第２実施形態の通話記録装置内のＣＰＵの制御手順を説明する。なお、図４、５に示した流れ図は、それぞれ、図２、３に示した流れ図に相当するものとなっている。
【００５３】
図４に示したステップのうち、ステップＳ３０１ないしＳ３０９において、ＣＰＵは、それぞれ、図２のステップＳ１０１ないしＳ１０９と同様の処理を実行する。ただし、ステップＳ３０５では、保存指示ボタンの押下の監視を開始する代わりに、ボックスボタンの押下の監視を開始する。また、ステップＳ３０８では、保存指示ボタンの押下がなされているか否かではなく、いずれかのボックスボタンの押下がなされているか否かの判断を行う。そして、ステップＳ３０９では、単に順次再生処理の対象となるファイル名を与えるのではなく、押下されたボックスボタンに対応し、かつ、既にＨＤＤ内に作成されているファイル名とは異なるファイル名を与える。すなわち、ＣＰＵは、ステップＳ３０４ないしステップＳ３０９の処理によって、通話内容の保存指示のために押下されたボックスボタンに応じたファイル名を有し、通話内容が記録された通話内容ファイルを、ＨＤＤ内に作成する。
【００５４】
また、留守番モードに設定されているときに、電話網からの呼び出し信号の入力開始後、オフフック信号が入力されない状態が所定時間継続したことを検出した際（ステップＳ３０１；留守録開始条件）、ＣＰＵは、第１実施形態と同様に、電話網に対して、オフフック信号と応答メッセージを出力する（ステップＳ３１０）。ただし、この際、ＣＰＵは、「記録を行うボックスを、いずれかのプッシュボタンを押下することによって指定して下さい。」といったメッセージを含む応答メッセージを出力する。なお、本装置に接続された電話機に対して電話をかけている者が、プッシュボタン形式の電話機を用いている場合（トーン信号の電話網への供給が可能な場合）には、このメッセージに従って、０〜９のいずれかのプッシュボタンを押下することになる。また、トーン信号の供給が可能でない場合には、即座に、メッセージの入力を開始する。
【００５５】
応答メッセージ等の出力後、ＣＰＵは、電話網から入力される音声信号をデジタル化したデータ（通話内容）を、ＨＤＤに記録する処理を開始する（ステップＳ３１１）。それと同時に、ＣＰＵは、プッシュボタンの押下（通話網からのトーン信号の入力）の監視と、通話終了の監視を開始（ステップＳ３１２）する。なお、ＣＰＵは、プッシュボタンの押下（トーン信号の入力）の監視を、一定時間の間だけ行う。
【００５６】
そして、通話の終了を検出したとき（ステップＳ３１３；Ｙ）に、プッシュボタンが押下されたことを検出していなかった場合（ステップＳ３１４；Ｎ）には、記録したファイルのファイル名をデフォルトのボックスに属する（デフォルトのボックスボタンに対応する）ファイル名であって、ＨＤＤ内の他の通話内容ファイルとは異なるファイル名に変更する（ステップＳ３１５）。すなわち、トーン信号を出力する機能を有さない電話機から、メッセージが入力された場合、ＣＰＵは、その内容を、デフォルトのボックスボタンに対応づけて、ＨＤＤ内に記録する。
【００５７】
一方、通話の終了を検出したとき（ステップＳ３１３；Ｙ）に、プッシュボタンが押下されたことを検出していた場合（ステップＳ３１４；Ｙ）には、記録したファイルのファイル名を、押下されたプッシュボタンの数値が、選択されたボックスボタンの数値であるとして、そのボックスボタンに対応するファイル名であって、ＨＤＤ内の他の通話内容ファイルとは異なるファイル名に変更する（ステップＳ３１６）。すなわち、トーン信号が最初に入力された場合、ＣＰＵは、そのトーン信号から特定される数値を、選択されたボックスボタンとして扱い、そのボックスボタンに対応するファイル名を有する通話内容ファイルを作成する。
また、ステップＳ３０３で実行される通話内容再生処理時、ＣＰＵは、図５に示した処理を実行する。図示してあるように、ＣＰＵは、ステップＳ４０３ないしＳ４０８では、それぞれ、ステップＳ２０１ないしＳ２０６と同様の処理を実行する。ただし、ＣＰＵは、それらのステップを実行する前に、再生ボックス選択指示メッセージの出力（ステップＳ４０１）と、いずれかのボックスボタンの押下を待機する処理（ステップＳ４０２）を実行する。
【００５８】
ここで、再生ボックス選択指示メッセージとは、「再生を行うボックスを指定して下さい。」といったメッセージであり、ＣＰＵは、応答メッセージ出力時と同様に、ＨＤＤ内に記憶されているデータを、中継器を介して、音声出力部に供給することによって、ステップＳ４０１を実行する。
【００５９】
そして、いずれかのボックスボタンが押下されたことを検出した際（ステップＳ４０２；Ｙ）に、ＣＰＵは、ステップＳ４０３からの処理を実行する。また、ＣＰＵは、ステップＳ４０３を実行する際に、単なる通話内容ファイルではなく、押下されたボックスボタンに関係する通話内容ファイルの有無を判定する。そして、そのような通話内容ファイルが存在していた場合（ステップＳ４０３；Ｙ）、その押下されたボックスボタンに関係する（指定されたボックスに関する）通話内容ファイルに対象を限定して、それ以後の処理を実行する。すなわち、ＣＰＵは、図５に示した通話内容再生処理において、ステップＳ４０２で押下を検出したボックスボタンに関係する通話内容ファイルの再生あるいは消去のみを行う。
【００６０】
このように、第２実施形態の通話記録装置を用いて、通話内容の保存を指示する際に、その通話内容に応じたボックスボタンを押下しておけば、再生指示ボタン並びにいずれかのボックスボタンを押下することによって、必要とする種類の通話内容だけを再生できることになる
＜変形形態＞
各実施形態の通話記録装置は、各種の変形が可能である。例えば、第２実施形態の通話記録装置は、ファイル名によって、通話内容ファイルの分類が行われるように構成されているが、各ボックスボタンに対して、いわゆる、ディレクトリを作成しておき、ボックスボタンが選択された際、そのボックボタンに対応するディレクトリ内に、通話内容ファイルが記憶されるように装置を構成しても良い。また、第２実施形態の通話記録装置は、ボックスの選択のために、ボックスボタンを設けてあるが、電話機のプッシュボタンをボックスボタンの代わりに用いられるように装置を構成することも出来る。さらに、第２実施形態の通話記録装置では、留守番電話として機能する際にも、ボックスが選択されるように構成してあるが、ボックスを選択するための処理（ステップＳ４０１、Ｓ４０２）が行われないようにするとともに、留守番電話として機能する際には、メッセージが、特定のボックス（ボタン）に対応づけて記録されるように装置を構成しても良い。
【００６１】
また、各実施形態の通話記録装置は、ＨＤＤを用いて構成されているが、通話内容を記録するために使用可能な機器は、ＨＤＤに限られるものではなく、例えば、フロッピディスクや、光磁気ディスク等を用いても良いことは当然である。
【００６２】
【発明の効果】
以上、詳細に説明したように、本発明による通話記録装置によれば、ディスク媒体に、通話内容が記録されるため、従来の多機能電話機に比して、より多くの通話内容を保存しておくことが出来る。また、使いなれている電話機に接続するだけで、その電話機に通話内容の記録機能が付加されることになるので、電話機自体を交換する場合に比して、覚えなければならない操作手順が少ない。このため、すぐに、操作方法を取得できることにもなる。
【００６３】
また、ボックス情報を用いて通話内容が記録される形態の、本発明による通話記録装置によれば、多種の通話内容を、その内容に応じて分類して記録でき、しかも、１つの分類に関係する通話内容だけを再生できるので、必要な情報を速やかに取り出せることになる。
【図面の簡単な説明】
【図１】本発明の第１実施形態による通話記録装置の構成図である。
【図２】第１実施形態の通話記録装置（ＣＰＵ）の全体的な動作手順を示した流れ図である。
【図３】図２に示した流れ図中で実行される通話内容再生処理時における、通話記録装置（ＣＰＵ）の動作手順を示した流れ図である。
【図４】第２実施形態の通話記録装置（ＣＰＵ）の全体的な動作手順を示した流れ図である。
【図５】図４に示した流れ図中で実行される通話内容再生処理時における、通話記録装置（ＣＰＵ）の動作手順を示した流れ図である。
【符号の説明】
１０  通話記録装置
１１  ＣＰＵ
１２  ＲＯＭ
１３  ＲＡＭ
１４  ハードディスクドライブ（ＨＤＤ）
１５  スイッチ部
１６  インターフェイス回路（Ｉ／Ｆ）
１７  中継器
１８  音声出力部
１９  バス
【図１】
0003824720.tif 000002
【図２】
0003824720.tif 000003
【図３】
0003824720.tif 000004
【図４】
0003824720.tif 000005
【図５】
0003824720.tif 000006